(57)【要約】【課題】携帯、使用に便利な工具セットを提供する。【解決手段】  主に、二つのグリップ２が設けられており、前記二つのグリップ２内にはそれぞれ工具３が枢接されており、工具３の一端には嵌入孔３０が設けられており、接続部品２３が工具３の嵌入孔３０を貫通することによって工具３はグリップ２内に枢接されており、一つのグリップ２の辺縁にはスライド溝２４が設けられており、もう一つのグリップ２の相対する辺縁にはスライド突部２５が設けられており、スライド構２４とスライド突部２５の接合によって、迅速に且つ便利に収納することができる工具セットを構成することができ、さらに携帯、使用に便利である。【選択図】  図３
2005349552.tif 000002
【特許請求の範囲】
【請求項１】
工具セットであり、主に、二つのグリップが設けられており、前記二つのグリップ内にはそれぞれ工具が枢接されており、工具の一端には嵌入孔が設けられており、接続部品が工具の嵌入孔を貫通することによって工具はグリップ内に枢接されており、一つのグリップの辺縁にはスライド溝が設けられており、もう一つのグリップの相対する辺縁にはスライド突部が設けられており、スライド溝とスライド突部の接合によって、迅速にしかも便利に収納することができる工具セットを構成することができ、さらに携帯、使用に便利であることを特徴とする工具セット。
【請求項２】
前記グリップは二つの板体および接続部品によって構成されており、さらに一つのグリップのスライド溝は鳩尾状を呈しており、さらにスライド溝上の好適な位置に凸部が設けられており、もう一つのグリップのスライド突部は対応するように鳩尾状を呈しており、さらにスライド突部上の好適な位置には凹部が設けられており、凸部と凹部の嵌合によって定位され、滑脱することがないことを特徴とする請求項１に記載の工具セット。
【発明の詳細な説明】
【技術分野】
【０００１】
本発明は工具セットに係り、特に、相対する二つのグリップが設けられており、二つのグリップ内にはそれぞれ工具が枢接されており、工具の一端には嵌入孔が設けられており、接続部品が工具の嵌入孔を貫通することによって、工具がグリップの間に枢接されており、グリップの辺縁にはスライド溝が設けられており、もう一つのグリップの相対する辺縁にはスライド突部が設けられており、スライド溝とスライド突部の接合によって、迅速に、且つ便利に工具セットを収納することができる工具セットを構成することができ、さらに携帯、使用に便利である工具セットに関わる。
【背景技術】
【０００２】
一般の工具セットは図１に示すようなもので、若干の異なる規格による部品、ボルト、ナット等の取りはずしに使用される工具であり、工具ボックス内に収納されるものであり、使用する時は、先ず好適な工具を選択し、次に工具とグリップを接合し、工具をボルトやナットに嵌合し、グリップを回転させて取りはずしや組立てを行うものであり、使用者は各種の異なる部品に対応させるために、工具ボックス全てを携帯する必要があり、携帯に非常に不便であり、各種の工具がばらばらになっているので、遺失しやすく、取り出して使用するのにも不便である。本発明の発明者は上述のような公知構造の工具セットにおける、携帯、使用上の欠点を鑑み、研究、設計を行い、本発明を発明した。
【発明の開示】
【発明が解決しようとする課題】
【０００３】
本発明の目的は、携帯、使用に便利な工具セットを提供することである。
【課題を解決するための手段】
【０００４】
前記課題を解決するために、
請求項１の発明は、工具セットであり、主に、二つのグリップが設けられており、前記二つのグリップ内にはそれぞれ工具が枢接されており、工具の一端には嵌入孔が設けられており、接続部品が工具の嵌入孔を貫通することによって工具はグリップ内に枢接されており、一つのグリップの辺縁にはスライド構が設けられており、もう一つのグリップの相対する辺縁にはスライド突部が設けられており、スライド構とスライド突部の接合によって、迅速にしかも便利に収納することができる工具セットを構成することができ、さらに携帯、使用に便利であることを特徴とする工具セットである。
【０００５】
請求項２の発明は、前記グリップは二つの板体および接続部品によって構成されており、さらに一つのグリップのスライド溝は鳩尾状を呈しており、さらにスライド溝上の好適な位置に凸部が設けられており、もう一つのグリップのスライド突部は対応するように鳩尾状を呈しており、さらにスライド突部上の好適な位置には凹部が設けられており、凸部と凹部の嵌合によって定位され、滑脱することがないことを特徴とする請求項１に記載の工具セットである。
【発明の効果】
【０００６】
本発明により、公知構造の工具セットにおける、携帯、使用に非常に不便で、遺失しやすい等の欠点を解決し、携帯、使用に便利な工具セットを提供することができた。
【発明を実施するための最良の形態】
【０００７】
図２，３，４に示すように、主に、相対する二つのグリップ２が設けられており、前記グリップ２は、二つの板体２１が接続部品２３によって接続されたものであり、グリップ２の二つの板体２１には若干の軸孔２２が設けられており、グリップ２の板体２１内には、車内用音響を取りはずすための工具３が枢接されており、前記工具３の一端には嵌入孔３０が設けられており、嵌入孔３０はグリップ２の二つの板体２１上の軸孔２２に対応しており、接続部品２３によって貫通されることによって、工具３がグリップ２内に枢接されており、グリップ２の辺縁には鳩尾状のスライド溝２４が設けられており、もう一つのグリップ２の辺縁には前記スライド溝２４に対応するスライド突部２５が設けられており、さらにスライド溝２４の好適な位置には凸部２６が設けられており、スライド突部２５上の好適な位置には凹部２７が設けられており、凸部２６と凹部２７の嵌合によって定位され、滑脱することがない。
【０００８】
使用者が車内の音響を取り外したい時、二つのグリップ２を上下に力を加えるだけで二つのグリップ２を引き離すことができ、車種によって適用する工具３をグリップ２内から回転させて出し、両手で二つのグリップ２上をそれぞれ握持し、工具セット３の前端を車内の音響とケース辺縁の隙間の中に挿入し、音響をケースからはずし、このように音響を取り出すことができ、取りはずす操作に非常に便利であり、且つ使用者は安定的にグリップ２上を握持することができるので、取りはずしの時、楽に握持して使用することができる。また、使用しない時は工具３をグリップ２内に収納し、二つのグリップ２が接し、対称であるスライド溝２４およびスライド突部２５をずらし（図３，４に示す）、さらに凸部２６および凹部２７をお互いに嵌合させ（図５に示す）、二つのグリップ２を定位し、滑脱しないようにする。このように、組立てが非常に快速に、素早く出来るだけでなく、使用しない時の保管、携帯に場所をとらず、さらに遺失する心配もない。
【０００９】
図６，７は本発明のもう一つの実施例であり、二つのグリップ２内の工具４は、ボルト、ナットの取りはずしに使用される工具によって構成されており、工具４の一端には嵌入孔４０が設けられており、嵌入孔４０はグリップ２の二つの板体２１上の軸孔２２に対応しており、接続部品２３によって貫通されることによって、工具４がグリップ２内に枢接されており、使用者がボルト、ナットを取りはずしたい時、二つのグリップ２を上下に力を加えるだけで二つのグリップ２を引き離すことができ、ボルト、ナットの形態によって適用する工具４をグリップ２内から回転させて出し、使用者は手でグリップ２を握持し、回転操作を行うことで、楽にボルト、ナットを取りはずすことができ、使用しない時は、二つのグリップ２が接し、対称であるスライド構２４およびスライド突部２５をずらし、さらに凸部２６および凹部２７をお互いに成合させることによって、二つのグリップ２を定位し、滑脱しないようにし、このようにして、携帯、および使用に便利な工具セットを提供することができる。
【００１０】
本発明の実施例は、明らかに予め定めた効果と目的を達成し、且つ公知構造の工具において存在する問題を解決したものであり、また、本発明は未だ公知、公用されておらず、特許の申請要件に符合するものであり、法に基づき特許申請を行う。
【図面の簡単な説明】
【００１１】
【図１】公知構造の工具セットの立体図である。
【図２】本発明による車内用音響の取りはずし用工具セットの立体分解図である。
【図３】本発明による工具セットにおける収納操作の様子を示す参考図である。
【図４】本発明による工具セットにおける収納状態を示す立体図である。
【図５】図４における断面図である。
【図６】本発明によるボルト、ナットの取りはずし用工具セットの立体分解図で              ある。
【図７】図６における操作の様子を示す参考図である。
【符号の説明】
【００１２】
１        工具セット
１０      工具ボックス
１１      グリップ
２        グリップ
２１    板体
２２      軸孔
２３      接続部品
２４      スライド溝
２５      スライド突部
２６      凸部
２７      凹部
３        工具
３０      嵌入孔
４        工具
４０      嵌入孔
【図１】
2005349552.tif 000003
【図２】
2005349552.tif 000004
【図３】
2005349552.tif 000005
【図４】
2005349552.tif 000006
【図５】
2005349552.tif 000007
【図６】
2005349552.tif 000008
【図７】
2005349552.tif 000009